(57)【要約】【課題】  表示面とその表示面における表示領域に対応して平面的に配置された近接無線通信用の通信装置を有する情報処理装置の消費電力を低減すること。【解決手段】  コンテンツを表示する表示手段を有する情報処理装置は、表示手段が情報を表示可能な領域の少なくとも一部に対応し、その表示領域から所定距離内を通信範囲として、その通信範囲内の相手装置と通信する通信手段を有する。情報処理装置は、表示手段においてコンテンツが表示される表示領域と、通信手段が対応する表示手段における領域との位置関係に基づいて、その通信手段の起動制御を行う。【選択図】  図２
2014112328.tif 000002
【特許請求の範囲】
【請求項１】
コンテンツを表示する表示手段を有する情報処理装置であって、
前記表示手段が情報を表示可能な領域の少なくとも一部に対応し、当該対応する領域から所定距離内を通信範囲として、当該通信範囲内の相手装置と通信する通信手段と、
前記表示手段において前記コンテンツが表示される表示領域と、前記通信手段が対応する前記領域との位置関係に基づいて、当該通信手段の起動制御を行う制御手段と、
を有することを特徴とする情報処理装置。
【請求項２】
前記制御手段は、前記通信手段が対応する前記領域が、前記コンテンツの表示領域に含まれる場合に、当該通信手段を起動するように制御する、
ことを特徴とする請求項１に記載の情報処理装置。
【請求項３】
前記制御手段は、さらに、前記通信手段が対応する前記領域が、前記コンテンツの前記表示領域の境界と交差する場合に、当該通信手段を起動するように制御する、
ことを特徴とする請求項２に記載の情報処理装置。
【請求項４】
前記制御手段は、前記通信手段が対応する前記領域が、前記コンテンツの表示領域に含まれず、かつ、当該表示領域の境界と交差する場合に、当該通信手段を起動するように制御する、
ことを特徴とする請求項１又は２に記載の情報処理装置。
【請求項５】
前記制御手段は、前記通信手段が対応する前記領域が、前記コンテンツの表示領域に含まれない場合に、当該表示領域からの距離が所定値以下の位置に、対応する前記領域を有する前記通信手段を起動するように制御する、
ことを特徴とする請求項１又は２に記載の情報処理装置。
【請求項６】
前記制御手段は、前記位置に、対応する前記領域を有する複数の前記通信手段がある場合に、他のコンテンツの表示領域との位置関係に応じて起動することが決定している通信手段とは異なる通信手段を、前記複数の通信手段から選択して起動する、
ことを特徴とする請求項５に記載の情報処理装置。
【請求項７】
前記制御手段は、前記コンテンツの表示領域と、前記通信手段が対応する前記領域とに基づいて、所定数以下の前記通信手段を選択して起動する、
ことを特徴とする請求項１から６のいずれか１項に記載の情報処理装置。
【請求項８】
前記制御手段は、他のコンテンツの表示領域との最小距離が所定値以上となる領域を、対応する前記領域として有する前記通信手段から、前記所定数以下の前記通信手段を選択して起動する、
ことを特徴とする請求項７に記載の情報処理装置。
【請求項９】
前記制御手段は、前記コンテンツの表示領域の中心から所定距離内に、対応する前記領域を有する前記通信手段から、前記所定数以下の前記通信手段を選択して起動する、
ことを特徴とする請求項７に記載の情報処理装置。
【請求項１０】
前記コンテンツに対応する配信情報があるかを判定する判定手段をさらに有し、
前記制御手段は、前記配信情報がある場合に、前記コンテンツの表示領域と、前記通信手段が対応する前記領域とに基づいて、当該通信手段の起動制御を行う、
ことを特徴とする請求項１から９のいずれか１項に記載の情報処理装置。
【請求項１１】
前記制御手段は、前記コンテンツに対応する前記配信情報がない場合であって、前記通信手段が対応する前記領域が当該コンテンツの表示領域に含まれる場合は、当該通信手段を起動しない、
ことを特徴とする請求項１０に記載の情報処理装置。
【請求項１２】
起動する前記通信手段の位置を示す画像を、前記コンテンツに合成する合成手段をさらに有し、
前記表示手段は、前記画像が合成された前記コンテンツを表示する、
ことを特徴とする請求項１から１１のいずれか１項に記載の情報処理装置。
【請求項１３】
前記コンテンツに関連して起動される前記通信手段との通信に伴って課金が発生するかを判別する判別手段と、
課金が発生する前記表示手段の位置を示す画像を、前記コンテンツに合成する合成手段と、をさらに有し、
前記表示手段は、前記画像が合成された前記コンテンツを表示する、
ことを特徴とする請求項１から１１のいずれか１項に記載の情報処理装置。
【請求項１４】
前記コンテンツに関連して起動される前記通信手段との通信に伴って課金が発生するかを判別する判別手段と、
前記制御手段は、課金が発生する場合に、他のコンテンツの表示領域との最小距離が所定値以上となる領域を対応する前記領域として有する前記通信手段を選択して起動する、
ことを特徴とする請求項１から１２のいずれか１項に記載の情報処理装置。
【請求項１５】
コンテンツを表示する表示手段と、前記表示手段が情報を表示可能な領域の少なくとも一部に対応し、当該対応する領域から所定距離内を通信範囲として、当該通信範囲内の相手装置と通信する通信手段とを有する情報処理装置の制御方法であって、
前記表示手段において前記コンテンツが表示される表示領域と、前記通信手段が対応する前記表示手段における前記領域との位置関係に基づいて、当該通信手段の起動制御を行うことを特徴とする制御方法。
【請求項１６】
コンテンツを表示する表示手段と、前記表示手段が情報を表示可能な領域の少なくとも一部に対応し、当該対応する領域から所定距離内を通信範囲として、当該通信範囲内の相手装置と通信する通信手段とを有する情報処理装置に含まれるコンピュータに、
前記表示手段において前記コンテンツが表示される表示領域と、前記通信手段が対応する前記表示手段における前記領域との位置関係に基づいて、当該通信手段の起動制御を行う制御工程、
を実行させるためのプログラム。
【発明の詳細な説明】
【技術分野】
【０００１】
本発明は、情報の表示を行う表示面とその表示面に関連して無線で通信する通信機能とを有する情報処理装置に関する。
【背景技術】
【０００２】
近年、無線ＩＣカード通信やＮＦＣ（Ｎｅａｒ  Ｆｉｅｌｄ  Ｃｏｍｍｕｎｉｃａｔｉｏｎ）等の近距離無線通信を用いた通信機能が、携帯電話等の携帯端末に搭載されることなどにより普及してきている。近距離無線通信を用いることにより、ユーザは携帯端末を近距離無線通信の送受信装置へ近づけるだけで、所望のコンテンツデータの取得や、課金処理を行うことができる。
【０００３】
また、大型ディスプレイ等の表示装置において、近距離無線通信のリーダライタ（Ｒ／Ｗ）等の通信装置をアレイ状に配置し、表示されているコンテンツに対応した情報を近距離無線通信により配信する技術が知られている（特許文献１及び特許文献２）。
【先行技術文献】
【特許文献】
【０００４】
【特許文献１】特許第４７５７９４３号公報
【特許文献２】特開２００８−２８１７７７号公報
【発明の概要】
【発明が解決しようとする課題】
【０００５】
しかしながら、特許文献１及び特許文献２においては、ディスプレイに配置された通信装置が起動していることが前提となっており、情報を配信するコンテンツとは位置的に無関係の通信装置についての電源管理などは考慮されていなかった。このため、配信情報のあるコンテンツと無関係の位置にある通信装置により、電力の無駄な消費が発生してしまうという課題があった。
【０００６】
本発明はかかる課題を解決するために、表示面とその表示面における表示領域に対応して平面的に配置した１つ以上の無線通信部を有する情報処理装置における電力低減技術を提供することを目的とする。
【課題を解決するための手段】
【０００７】
上記目的を達成するため、本発明による情報処理装置は、コンテンツを表示する表示手段を有する情報処理装置であって、前記表示手段が情報を表示可能な領域の少なくとも一部に対応し、当該対応する領域から所定距離内を通信範囲として、当該通信範囲内の相手装置と通信する通信手段と、前記表示手段において前記コンテンツが表示される表示領域と、前記通信手段が対応する前記表示手段における前記領域との位置関係に基づいて、当該通信手段の起動制御を行う制御手段と、を有する。
【発明の効果】
【０００８】
本発明によれば、表示面とその表示面における表示領域に対応して平面的に配置された無線通信部を有する情報処理装置の消費電力を低減することができる。
【図面の簡単な説明】
【０００９】
【図１】表示装置の構成例を示す図。
【図２】実施形態に係る通信システムの構成例を示す図。
【図３】表示装置の機能構成を示すブロック図。
【図４】表示装置における表示処理と対応Ｒ／Ｗ装置の起動処理を示すフローチャート。
【図５】Ｒ／Ｗ装置が実行する配信処理を示すフローチャート。
【図６】表示コンテンツと起動されるＲ／Ｗ装置との関係、及び画像の表示例を示す図。
【図７】起動するＲ／Ｗ装置を判定する処理を示すフローチャート。
【図８】実施形態２における、表示コンテンツと起動されるＲ／Ｗ装置との関係、及び画像の表示例を示す図。
【図９】実施形態３における、表示コンテンツと起動されるＲ／Ｗ装置との関係、及び画像の表示例を示す図。
【図１０】実施形態３における、表示コンテンツが切り替わる場合の表示コンテンツと起動されるＲ／Ｗ装置との関係、及び画像の表示例を示す図。
【発明を実施するための形態】
【００１０】
以下、添付図面を参照して本発明の実施の形態を詳細に説明する。本発明の技術範囲は、特許請求の範囲によって確定されるのであって、以下の個別の実施形態によって限定されるものではない。なお、各実施形態では近距離無線通信としてＮＦＣを用いた場合について説明するが、その他（例えば無線ＩＣタグ）の近距離無線通信媒体を用いても、同様の効果を得ることができる。
【００１１】
＜＜実施形態１＞＞
（概要）
図１は本実施形態に係る表示装置１０１の構成例を示す図である。表示装置１０１の内部には、表示面において情報を表示可能な各表示領域に対応し、当該表示領域から所定距離内を通信範囲として、通信範囲内の相手装置と近距離無線通信により通信する通信装置（１０２ａ〜１０２ｘ）が、アレイ状に配置されている。なお、以下の説明では、「表示装置」と説明するが、情報の表示のみならず、情報の収集、通信の相手装置への情報の配信、表示画像の処理などを行う情報処理装置である。なお、以下では、複数の通信装置が、表示面に対して縦方向と横方向に整列され、アレイ状に配置されている場合について説明するが、これに限られない。すなわち、表示装置１０１の表示面から所定距離内を通信可能な通信範囲とする、１つ以上の通信装置が表示面に対応するように平面的に配置されていればよい。また、配置される通信装置の大きさも、使用する通信規格での通信ができる限りにおいては自由である。すなわち、例えば、表示面の端部においては、表示面の中心部と比べて通信装置のカバーする領域を広くしてもよい。また、通信装置は表示装置の表示面の全体を通信範囲として覆う必要はなく、一部の領域のみを通信範囲とするように配置されてもよい。
【００１２】
なお、以下の説明では、近距離無線通信の通信装置がＮＦＣのリーダライタ装置（Ｒ／Ｗ装置）である場合について説明するが、規格の違いなどに応じて異なる通信装置を用いてもよい。また、図１においては、各Ｒ／Ｗ装置が破線で表されているが、この破線の四角形はＲ／Ｗ装置の配置されている位置を表したものであり、表示部を観測するユーザからは、そのＲ／Ｗ装置自体は見えない。同様に、他の図においても、破線で表現されるオブジェクトは、ユーザによって視認できないオブジェクトであるものとする。また、実線で表現されるオブジェクトは、ユーザによって視認可能なオブジェクトであるものとする。なお、Ｒ／Ｗ装置は、例えば、表示面の表示機能、すなわち、液晶パネルやバックライトの背後、又はこれらの構成要素の間に配置される。また、図１以外の表示装置の図においては、各Ｒ／Ｗ装置について参照番号を付していないが、各Ｒ／Ｗ装置の位置は、図１に示す参照番号により指定されるものとする。
【００１３】
図２は、本実施形態に係る通信システムの構成例を示す図である。図２の通信システムは、表示装置１０１と携帯端末２０１とを含む。図２の例では、表示装置１０１は表示面にコンテンツ１１１〜１１６を表示している。なお、ここでは６個のコンテンツが表示された例を示しているが、これに限られず、本実施形態は、コンテンツが１つ以上表示されている場合に適用可能である。また、図２の例では、斜線で塗りつぶされたＲ／Ｗ装置は動作を停止していることを示し、塗りつぶされていないＲ／Ｗ装置は起動していることを示す。また、携帯端末２０１はＮＦＣ機能を有し、表示装置１０１に含まれる起動しているＲ／Ｗ装置に近づけることでＮＦＣによる通信が可能である。なお、本実施形態において、コンテンツ１１１〜１１６には各コンテンツに対応した配信情報があり、表示装置１０１は、起動しているＲ／Ｗ装置を介して、その配信情報を携帯端末２０１へ配信できる。
【００１４】
本実施形態に係る表示装置１０１は、図２に示すように、表示面に表示されるコンテンツの位置に応じて、起動するＲ／Ｗ装置を選択し、その選択に基づいてＲ／Ｗ装置の起動制御を行う。例えば、図２では、コンテンツ１１１〜１１６の表示位置に対応する領域に含まれるＲ／Ｗ装置（例えばＲ／Ｗ装置１０２ａ）のみが起動し、それ以外（例えばＲ／Ｗ装置１０２ｘ）は動作を停止している。このように、本実施形態においては、例えば、コンテンツと関係しない、すなわち、コンテンツの表示領域外のＲ／Ｗ装置については、動作を停止させている。このようにコンテンツの表示領域とＲ／Ｗ装置の配置された位置との位置関係により、Ｒ／Ｗ装置の起動制御を行うことにより、表示装置において、全ての通信装置を起動させておくことがなくなるため、電力消費量を抑えることが可能となる。
【００１５】
以下では、表示装置１０１の具体的な構成及び動作について詳述する。
【００１６】
（表示装置の構成）
図３は、本実施形態に係る表示装置１０１の機能構成例を示すブロック図である。表示装置１０１は、例えば、表示出力部３０１、制御部３０２、記憶部３０３、通信装置制御部３０６、近距離無線通信部３０７、位置判断部３１１を有する。また、表示装置１０１は、例えば、通信Ｉ／Ｆ（インタフェース）部３０４、送受信部３０５、コンテンツ取得部３０８、コンテンツ保持部３０９、配信情報判断部３１０、表示情報合成部３１２、表示情報制御部３１３、及び課金処理部３１４を有する。
【００１７】
表示出力部３０１は、表示コンテンツをディスプレイ面に表示出力する。他にＬＣＤやＬＥＤのように視覚で認知可能な付加的情報を出力するものも含まれるようにしてもよい。制御部３０２は、記憶部３０３に記憶される制御プログラムを実行することにより表示装置１０１全体を制御する機能部である。記憶部３０３は、制御部３０２が実行する制御プログラムや各種情報を記憶する。後述する各種動作は、例えば、記憶部３０３に記憶された制御プログラムを制御部３０２が実行することにより行われる。
【００１８】
通信Ｉ／Ｆ部３０４はＮＦＣ以外の通信Ｉ／Ｆであり、例えば、無線ＬＡＮ、Ｅｔｈｅｒｎｅｔ（登録商標）、ＵＳＢやＩＥＥＥ１３９４等である。表示装置１０１は、通信Ｉ／Ｆ部３０４を介してインターネットに接続するように構成されていてもよい。送受信部３０５は、通信Ｉ／Ｆ部３０４又は近距離無線通信部３０７を介して、通信データのプロトコルに応じた送受信制御を行う。通信装置制御部３０６は、平面的に配列されている各通信装置（図１の１０２）の起動制御及び停止制御を行う。近距離無線通信部３０７は、例えば、本実施形態ではＮＦＣのＲ／Ｗ装置（図１の１０２）に対応する、近距離無線通信を実行するための機能部である。すなわち、通信装置制御部３０６は、近距離無線通信部３０７を制御する。なお、ＮＦＣでの近距離無線通信を実行するためのアンテナも近距離無線通信部３０７内に含まれる。
【００１９】
コンテンツ取得部３０８は、通信Ｉ／Ｆ部３０４等を介して、表示するコンテンツやコンテンツに関連した配信情報等を取得する。コンテンツ保持部３０９は、コンテンツ取得部３０８を介して取得したコンテンツや配信情報等を保持する。配信情報判断部３１０は、表示されている各コンテンツに対し、どの情報を配信するかをテーブルとして保持し、携帯端末へ配信する情報を判定する。
【００２０】
位置判断部３１１は、表示装置に配列されているＲ／Ｗ装置１０２の位置情報を保持しており、表示装置で表示する表示コンテンツの位置情報と比較し、コンテンツに対応したＲ／Ｗ装置１０２を判断する。なお、本実施形態においては、Ｒ／Ｗ装置１０２の位置情報として、Ｒ／Ｗ装置１０２の物理的な配置領域を保持しておいてもよいし、Ｒ／Ｗ装置１０２が通信可能な通信領域を保持しておいてもよい。ここで、保持する位置情報が通信領域の場合、当該通信領域は、例えば、電波強度等に基づいて予め算出される。また、位置判断部３１１では、携帯端末を検出したＲ／Ｗ装置１０２の位置情報も判断する。
【００２１】
表示情報合成部３１２は、表示するコンテンツに合成して表示すべき表示情報があるか否かを判定する。そして、表示情報合成部３１２は、合成して表示すべき表示情報がある場合、その表示情報の表示コンテンツへの合成処理を行う。表示情報制御部３１３は、表示出力部３０１に表示する表示コンテンツの表示制御を行う。表示情報制御部３１３は、例えば、時間ごとのコンテンツの切り替え処理や、動画コンテンツの場合の画像処理などの制御を行う。また、表示情報制御部３１３は、表示コンテンツについて画像解析を実行し、各コンテンツの位置情報を解析する。
【００２２】
課金処理部３１４は、配信情報に課金が必要な場合は、配信情報を送信するＲ／Ｗ装置１０２を介して携帯端末との間でＮＦＣを用いた課金処理を実行する。
【００２３】
（表示処理及びＲ／Ｗ装置の起動処理）
続いて、表示装置１０１が実行する画像表示処理、及び表示情報に対応するＲ／Ｗ装置１０２の起動処理処理について説明する。図４に、表示装置１０１が実行する処理のフローチャートを示す。
【００２４】
処理を開始すると、表示装置１０１は、表示出力部３０１に表示する表示コンテンツを取得する（Ｓ４０１）。ここでは、表示装置１０１は、例えば、通信Ｉ／Ｆ部３０４を介してインターネットからコンテンツを取得してもよいし、コンテンツ保持部３０９から、コンテンツ取得部３０８が既に取得していた表示コンテンツを取得してもよい。
【００２５】
続いて、表示装置１０１は、表示コンテンツに対応して、ＮＦＣを介して配信する情報があるか否かを判定する（Ｓ４０２）。表示装置１０１は、配信情報があるか否かの判定を、表示コンテンツ内に付帯情報として含まれる情報に基づいて実行してもよく、または表示コンテンツの画像解析を行うことにより対応表示コンテンツの有無を自動で認識してもよく、これらを併用してもよい。例えば、表示コンテンツ内に「タッチ」や「近づけて」などの言葉が含まれる場合、そこに携帯端末２０１が近接することで配信情報が配信されると考えられ、この場合は、配信情報があると判定してもよい。これにより、付帯情報を用いる場合、確実に配信情報があることを判定することができ、自動認識により、付帯情報がないコンテンツについても配信情報があることを判定することができる。
【００２６】
ここで、表示装置１０１は、配信情報がないと判定した場合は処理をＳ４０８へ進め、表示コンテンツを表示する。すなわち、対応する配信情報がないコンテンツについては、その表示領域におけるＲ／Ｗ装置を起動せずにコンテンツを表示して処理を終了する。一方、表示装置１０１は、配信情報があるコンテンツに対しては、起動するＲ／Ｗ装置の決定などの処理を行うため、処理をＳ４０３へ進める。
【００２７】
Ｓ４０３では、表示装置１０１は、配信情報がある表示コンテンツ（１１１〜１１６）について、位置情報を取得する。すなわち、表示装置１０１は、１つの配信情報について、どの表示コンテンツに対応するかを判定し、その上で、対応する表示コンテンツの位置情報を取得する（Ｓ４０３）。なお、表示装置１０１は、表示面に表示される画像を解析し、ディスプレイ面上における表示コンテンツの座標情報を取得することにより位置情報を取得してもよい。例えば、表示装置１０１は、表示コンテンツを画像解析し、コンテンツ１１１の表示範囲の座標情報を算出し、その位置情報を得る。取得した位置情報は各コンテンツの識別情報と共にデーブルとして記憶部３０３に記憶される。
【００２８】
そして、表示装置１０１は、取得した表示コンテンツの位置情報を元に、各コンテンツの配信情報をどのＲ／Ｗ装置が対応して配信するかの判定処理を行う（Ｓ４０４）。本処理の詳細な処理内容については後述する。なお、Ｓ４０４において、表示装置１０１は、表示コンテンツに付加情報を合成すべきかを判定してもよい。
【００２９】
コンテンツに対応したＲ／Ｗ装置の判定処理後、表示装置１０１は、表示コンテンツに対して、対応したＲ／Ｗ装置の位置を示すガイダンス表示を合成して表示するための合成情報があるか否かの判定を行う（Ｓ４０５）。合成情報の有無の判定は、例えば、Ｓ４０４の判定処理内で行った情報の合成が必要かの判定に基づいて実行される。そして、表示装置１０１は、合成情報がある場合は処理をＳ４０６へ進め、ない場合は処理をＳ４０７へ進める。
【００３０】
Ｓ４０６では、表示装置１０１は、Ｓ４０５で判定した合成情報に基づいて、表示コンテンツへの画像合成処理を実行する。合成情報内には、例えば、合成用の画像情報と座標情報が含まれており、表示装置１０１は、これらの情報を用いて、該当位置に画像を合成する。その後、表示装置１０１は、処理をＳ４０７へ進める。
【００３１】
Ｓ４０７では、表示装置１０１は、Ｓ４０４の判定により配信情報を配信するとされたＲ／Ｗ装置１０２の起動処理を行う。起動処理が行われた後は、表示装置１０１は、起動したＲ／Ｗ装置１０２にＮＦＣでの通信が可能な相手装置が近接した場合に、当該相手装置との間でＮＦＣによるデータ通信が可能となる。
【００３２】
最後に、表示装置１０１は、表示コンテンツを表示出力部３０１へ表示する（Ｓ４０８）。なお、Ｓ４０８では、Ｓ４０６で合成処理が行われている場合には、合成画像が合成された表示コンテンツが表示される。以上により表示処理が終了する。
【００３３】
（情報配信処理）
続いて、起動されたＲ／Ｗ装置１０２による情報配信処理について説明する。図５に、表示装置１０１において起動されたＲ／Ｗ装置１０２が、携帯端末２０１との間で実行する配信情報の配信処理のフローチャートを示す。
【００３４】
まず、起動されたＲ／Ｗ装置１０２は、ＮＦＣによる通信が可能な通信端末の検知を行う（Ｓ５０１）。なお、起動されたＲ／Ｗ装置１０２は、常に待ち受け状態となり、通信端末を常時検知してもよいし、一定の間隔ごとに通信端末の検知処理を行うようにしてもよい。一定の間隔ごとに通信端末の検知処理を行う場合は、Ｒ／Ｗ装置１０２を起動後であっても、検知処理を行わない時間はスリープモードなどにすることにより、消費電力を抑えることが可能となる。Ｒ／Ｗ装置１０２は、ＮＦＣによる通信が可能な通信端末（本実施形態では携帯端末２０１）が検知されると、処理をＳ５０２へ進める。
【００３５】
Ｓ５０２では、Ｒ／Ｗ装置１０２は、自らが配信すべき配信情報を取得する。Ｒ／Ｗ装置１０２は、自らに割り当てられている配信情報の識別情報（ＩＤ等）を、配信情報判断部３１０から取得し、識別情報を元にコンテンツ保持部３０９に保持されている配信情報を取得する。
【００３６】
続いて、Ｒ／Ｗ装置１０２は、配信情報を配信するにあたり、課金が発生するか否かを判定する（Ｓ５０３）。なお、課金が必要か否かの情報は、配信情報に付帯されているものとする。また、この処理は、Ｒ／Ｗ装置１０２ではなく、表示装置１０１の制御部３０２などにより実行され、Ｒ／Ｗ装置１０２へ結果が報告されるようにしてもよい。Ｒ／Ｗ装置１０２は、課金が必要な場合は処理をＳ５０４へ進め、不要な場合は処理をＳ５０７へ進める。
【００３７】
Ｓ５０４では、Ｒ／Ｗ装置１０２は、携帯端末２０１との間でＮＦＣによる課金処理を実行し、処理をＳ５０５へ進める。
【００３８】
Ｓ５０５では、Ｒ／Ｗ装置１０２は、課金が正常に終了したか否かの判定を行う。Ｒ／Ｗ装置１０２は、課金が正常に終了した場合は、処理をＳ５０７へ進め、正常終了できなかった場合は処理をＳ５０６へ進める。
【００３９】
Ｓ５０６では、Ｒ／Ｗ装置１０２は、課金が正常に終了しなかったことを示すエラー通知を携帯端末２０１のユーザへ提示する。Ｒ／Ｗ装置１０２は、例えば、携帯端末２０１へＮＦＣを用いてエラー情報を送信してもよいし、表示装置１０１の表示出力部３０１にエラー情報を表示させてもよい。エラー通知の後、配信処理は終了する。
【００４０】
Ｓ５０７では、Ｒ／Ｗ装置１０２は、ＮＦＣを介して配信情報を携帯端末２０１へ転送する処理を行う。配信情報の転送が終了すると配信処理を終了する。
【００４１】
（表示例と起動されるＲ／Ｗ装置の判定処理）
図６に、本実施形態における表示装置１０１における、表示コンテンツと起動されるＲ／Ｗ装置との関係、及びディスプレイにおける画像の表示例を示す。６０１〜６１０は、それぞれディスプレイ上に表示される表示コンテンツを示している。表示コンテンツ６０１〜６１０にはそれぞれ対応した配信情報があるものとする。また、図７に、図４のＳ４０４における、対応Ｒ／Ｗ装置判定処理の一例のフローチャートを示す。以下、図２及び図６の表示例を用いながら、図７のフローチャートについて説明する。
【００４２】
対応Ｒ／Ｗ装置判定処理が開始されると、表示装置１０１は、配信情報を含んだコンテンツ（１１１〜１１６又は６０１〜６１０）の表示領域と、Ｒ／Ｗ装置の位置情報を比較する（Ｓ７０１）。より具体的には、表示装置１０１は、例えば、記憶部３０３にテーブルとして記憶されている各コンテンツの識別情報と位置情報と、位置判断部３１１が保持するＲ／Ｗ装置の位置情報とを比較する。
【００４３】
続いて、以下に説明するように、Ｓ７０２〜Ｓ７０６において、コンテンツ毎（１１１〜１１６又は６０１〜６１０）に、起動されるＲ／Ｗ装置の判定処理が実行される。
【００４４】
Ｓ７０２では、表示装置１０１は、Ｓ７０１での位置情報の比較に基づいて、配信情報を含む各コンテンツに対して、コンテンツの表示領域内にＲ／Ｗ装置が存在するか否かの判定を行う。表示装置１０１は、Ｒ／Ｗ装置がコンテンツの表示領域内に存在すると判定した場合は、処理をＳ７０３へ進める。一方で、表示装置１０１は、Ｒ／Ｗ装置がコンテンツの表示領域内に存在しないと判定した場合は、処理をＳ７０７へ進める。例えば、表示装置１０１は、図２の表示コンテンツ１１１に対しては、その表示領域内に、６つのＲ／Ｗ装置（１０２ａ、１０２ｂ、１０２ｃ、１０２ｇ、１０２ｈ、１０２ｉ）が存在すると判定する。また、表示装置１０１は、例えば、コンテンツ６０１に対しては、その表示領域内に４つのＲ／Ｗ装置（１０２ａ、１０２ｂ、１０２ｇ、１０２ｈ）が存在すると判定する。
【００４５】
Ｓ７０３では、表示装置１０１は、Ｓ７０２で検出したコンテンツの表示領域内に存在するＲ／Ｗ装置１０２のうち、コンテンツの表示境界上に配置されたＲ／Ｗ装置があるか否かを判定する。表示装置１０１は、表示境界上に配置されたＲ／Ｗ装置がある場合は処理をＳ７０４へ進め、ない場合は処理をＳ７０６へ進める。なお、表示境界上に配置されたＲ／Ｗ装置とは、コンテンツの表示領域を区分する境界線とＲ／Ｗ装置が配置される面的領域又は通信範囲とが交差する場合に、そのＲ／Ｗ装置のことを指す。例えば、コンテンツ１１１に対しては、表示装置１０１は、Ｒ／Ｗ装置１０２ｃと１０２ｉとがコンテンツの表示境界上のＲ／Ｗ装置として判定する。同様に、コンテンツ６０１に対しては、表示装置１０１は、４つのＲ／Ｗ装置（１０２ａ、１０２ｂ、１０２ｇ、１０２ｈ）の全てがコンテンツの表示境界上のＲ／Ｗ装置として判定する。
【００４６】
Ｓ７０４では、表示装置１０１は、コンテンツの表示領域内に包含されるＲ／Ｗ装置があるか否かの判定を行う。表示装置１０１は、コンテンツの表示領域内に包含されるＲ／Ｗ装置がある場合は処理をＳ７０５へ進め、ない場合は処理をＳ７０７へ進める。ここで、コンテンツの表示領域内に包含されるＲ／Ｗ装置とは、コンテンツの表示領域に、Ｒ／Ｗ装置が配置される面的領域又は通信範囲の全てが含まれる場合の、そのＲ／Ｗ装置を指す。例えば、コンテンツ１１１に対しては、表示装置１０１は、４つのＲ／Ｗ装置（１０２ａ、１０２ｂ、１０２ｇ、１０２ｈ）を、コンテンツの表示領域内に包含されるＲ／Ｗ装置と判定する。また、コンテンツ６０１に対しては、表示装置１０１は、コンテンツの表示領域内に包含されるＲ／Ｗ装置はないと判定する。したがって、コンテンツ６０１に対しては、表示装置１０１は、処理をＳ７０７へと進め、対応するＲ／Ｗ装置がないと判定した場合の処理を実行する。
【００４７】
Ｓ７０５では、コンテンツの表示領域内に包含されるＲ／Ｗが存在するため、表示装置１０１は、コンテンツの表示境界上のＲ／Ｗ装置は省電力の観点から動作停止することを決定する。なお、本実施形態では、表示装置１０１は、境界上のＲ／Ｗ装置について動作停止させるが、これらのＲ／Ｗ装置をも起動させてもよい。これにより、表示コンテンツに対応したＲ／Ｗ装置を増やして、その表示コンテンツに対応する反応領域を広げることができる。また、表示装置１０１は、境界上のＲ／Ｗ装置を起動するようにした場合であっても、その境界上のＲ／Ｗ装置の近傍にそのＲ／Ｗ装置に対応するコンテンツとは別のコンテンツが存在すると判定した場合は、その境界上のＲ／Ｗ装置を動作停止としてもよい。これにより、ユーザがその別のコンテンツの配信情報を取得するために携帯端末２０１を近接させた場合に、その別のコンテンツとは異なるコンテンツに対応する配信情報を提供してしまうことを防ぐことができる。また、表示装置１０１は、Ｒ／Ｗ装置の配置される面的領域又は通信範囲のうち、表示コンテンツが含まれる領域の割合をＲ／Ｗ装置と表示コンテンツとの位置情報から算出し、その割合に応じてＲ／Ｗ装置を起動するかいなかを判定してもよい。例えば、表示装置１０１は、Ｒ／Ｗ装置の配置される面的領域又は通信範囲のうち、一定の割合以上の領域においてコンテンツが表示されると判断した場合に、そのＲ／Ｗ装置を起動するように判定してもよい。これにより、例えば、Ｒ／Ｗ装置の配置される面的領域又は通信範囲の大半がコンテンツの表示領域内にある場合又は大半がコンテンツの表示領域外にある場合などに、Ｒ／Ｗ装置の通信範囲とコンテンツの表示領域との整合性を向上させることができる。
【００４８】
Ｓ７０６では、Ｓ７０２〜Ｓ７０５までの判定結果に基づいて、起動するＲ／Ｗ装置の選定を行い、コンテンツ対応Ｒ／Ｗ装置の判定処理を終了する。Ｓ７０６において、表示装置１０１は、例えば、コンテンツ１１１に対しては、４つのＲ／Ｗ装置（１０２ａ、１０２ｂ、１０２ｇ、１０２ｈ）を、起動するＲ／Ｗ装置として選定する。
【００４９】
一方、コンテンツ表示領域内にＲ／Ｗ装置がない場合（Ｓ７０２でＮＯ）、又はコンテンツの表示領域内に包含されるＲ／Ｗ装置がない場合（Ｓ７０４でＮＯ）は、Ｓ７０７〜Ｓ７１０の処理を実行する。すなわち、表示装置１０１は、コンテンツに対応するＲ／Ｗ装置がないと判定した場合の処理として、以下のＳ７０７〜Ｓ７１０の処理を実行する。例えば、図６のコンテンツ６０１〜６１０などに対して、これらの処理が行われる。
【００５０】
Ｓ７０７では、表示装置１０１は、配信情報を配信するＲ／Ｗ装置として未割当のＲ／Ｗ装置が、コンテンツの近傍にあるか否かを判定する。なお、Ｒ／Ｗ装置がコンテンツの近傍にある状態とは、表示面においてそのコンテンツの境界からの距離が所定値以下の位置に、Ｒ／Ｗ装置の対応する表示領域又は通信範囲がある状態を指す。例えば、表示装置１０１は、コンテンツ６０１に対しては、４つのＲ／Ｗ装置（１０２ａ、１０２ｂ、１０２ｇ、１０２ｈ）を、情報の配信に未割当でコンテンツ６０１の近傍に存在するＲ／Ｗ装置として判定する。ここで、例えば、１０２ｈが既にコンテンツ６０２に対応した配信情報を配信するＲ／Ｗ装置として割り当てられていた場合、表示装置１０１は、３つのＲ／Ｗ装置（１０２ａ、１０２ｂ、１０２ｇ）を、情報配信に未割当のＲ／Ｗ装置として判定する。表示装置１０１は、コンテンツの近傍に情報配信に未割当のＲ／Ｗ装置がある場合は処理をＳ７０９へ進め、ない場合は処理をＳ７０８へ進める。
【００５１】
Ｓ７０８では、表示装置１０１は、検出した近傍のＲ／Ｗ装置を他のコンテンツと併用利用することを決定する。表示装置１０１は、例えば、コンテンツ６０２について、近傍のＲ／Ｗ装置（１０２ｂ、１０２ｃ、１０２ｈ、１０２ｉ）の全てが他のコンテンツ（６０１、６０３、６０６、６０７、６０８）の情報配信のために割り当てられていた場合にこの処理を実行する。この場合、表示装置１０１は、４つのＲ／Ｗ装置（１０２ｂ、１０２ｃ、１０２ｈ、１０２ｉ）の全て、又は、いずれか１つ若しくは複数のＲ／Ｗ装置を、他のコンテンツと併用してコンテンツ６０２の配信情報を配信するＲ／Ｗとして決定する。１つのＲ／Ｗ装置で複数の配信情報を配信する場合に携帯端末２０１がそのＲ／Ｗ装置に近接したことを検知すると、そのＲ／Ｗ装置は両方の配信情報を携帯端末２０１へ配信し、携帯端末２０１側で所望の配信情報を選択するようにしてもよい。または、Ｒ／Ｗ装置は、携帯端末２０１に配信情報のリストのみ送信し、そのリストからユーザによる選択を受け付けた結果を携帯端末２０１から受信して、その選択に応じてユーザが要求する配信情報を配信するようにしてもよい。または、表示装置１０１は、時間帯で配信情報を切り換えて配信するようにしてもよい。なお、時間帯で配信情報を切り換える場合、表示装置１０１は、Ｒ／Ｗ装置の位置に対し、コンテンツの表示領域の割合に応じて時間帯を変更するように制御してもよい。
【００５２】
Ｓ７０９では、表示装置１０１は、Ｓ７０９までの判定結果に基づいて起動するＲ／Ｗ装置を選定する。例えば、コンテンツ６０１に対しては、４つのＲ／Ｗ装置（１０２ａ、１０２ｂ、１０２ｇ、１０２ｈ）が起動するＲ／Ｗ装置の候補として挙げられていた場合に、全て、又は１つ若しくは複数を選択してもよい。１つ若しくは複数を選択する場合は、誤検知の確率を低減するために、コンテンツ６０１に近接する別のコンテンツの表示領域から離れた位置にあるＲ／Ｗ装置を選択するようにしてもよい。例えば、１つのＲ／Ｗ装置のみが選択される場合、表示装置１０１は、Ｒ／Ｗ装置１０２ａを、コンテンツ６０１の配信情報を配信するＲ／Ｗ装置として選定する。これは、Ｒ／Ｗ装置１０２ａが隣接する別のコンテンツ（６０２及び６０６）のいずれにも近接しないＲ／Ｗ装置だからである。表示装置１０１は、起動するＲ／Ｗ装置を選定後、処理をＳ７１０へ進める。
【００５３】
Ｓ７１０では、選定されたＲ／Ｗ装置の位置情報を表示コンテンツに合成して表示するための合成情報を生成する。これは、この処理を行う場合は、選定されたＲ／Ｗ装置がコンテンツの表示領域内に含まれず、コンテンツとは離れた位置のＲ／Ｗ装置を用いることとなるため、ユーザに対して、Ｒ／Ｗ装置の位置を分かりやすくするための処理である。合成情報としては、例えば、合成画像又は合成位置情報などが使用される。図６は、合成画像として各コンテンツ上の矢印を用いた場合の例を示している。また、図６においては、Ｒ／Ｗ装置の位置を枠で表示するための位置枠を合成画像として用いている。すなわち、図６で、１０個のＲ／Ｗ装置（１０２ａ、１０２ｄ、１０２ｆ、１０２ｈ、１０２ｋ、１０２ｍ、１０２ｏ、１０２ｒ、１０２ｔ、１０２ｗ）の位置を実線で示すように、ユーザに視認可能に表示している。これにより、表示装置１０１を見たユーザが、各コンテンツに対応するＲ／Ｗ装置の位置を認識することができる。合成情報を伴うコンテンツの識別情報と生成された合成情報とは、テーブルとして保持される。
【００５４】
このように、表示装置１０１に平面的に配置されたＮＦＣのＲ／Ｗ装置のうち、コンテンツに関連する配信情報を配信すると選定されたＲ／Ｗ装置のみを起動するようにする起動制御により、全てを常時起動しておく従来に比べ、消費電力を低減できる。また、あるコンテンツについて、隣接するコンテンツとの関係で起動するＲ／Ｗ装置を選定することにより、ユーザが要求した情報と異なる情報を誤って配信することを防ぐことが可能となる。また、合成情報を用いてＲ／Ｗ装置の位置をユーザに視認可能に表示することにより、ユーザの利便性を向上させることが可能となる。
【００５５】
＜＜実施形態２＞＞
本実施形態では、実施形態１で説明した処理に加えて、配信情報を有するコンテンツに対応したＲ／Ｗ装置の判定処理（Ｓ４０４）において、課金情報を含む配信情報に対応するコンテンツについて、別の判定処理を実行する。すなわち、コンテンツに関連して起動されるＲ／Ｗ装置との通信に伴って課金が発生する場合は、起動するＲ／Ｗ装置の判定は、以下に詳細に説明する、実施形態１とは異なる判定処理を実行する。なお、本実施形態に係る表示装置１０１の構成、及び表示処理並びに配信処理の動作は、実施形態１と同様であるため、ここでの説明は省略する。
【００５６】
図８に、本実施形態における表示装置１０１のディスプレイ上での表示例を示す。１１１〜１１６は実施形態１同様コンテンツを示しており、それぞれ配信情報を有しているものとする。そして、図８において、４つのコンテンツ（１１１、１１３、１１４、１１６）は、コンテンツの配信に対して課金処理が要求されるものとする。
【００５７】
課金が要求される場合は、実施形態１の配信処理の説明にあるように、表示装置１０１は、携帯端末との間でＮＦＣを介して課金処理を実行し、課金が正常終了した場合に、配信情報を配信することになる。しかし、Ｒ／Ｗ装置が平面的に配置される表示装置１０１では、課金が要求されるコンテンツに隣接した別のコンテンツを要求するユーザが、誤って課金用コンテンツの対応したＲ／Ｗ装置に携帯端末２０１を近づけてしまい、誤って課金されうる。例えば、コンテンツ１１４に対応したＲ／Ｗ装置として１０２ｔが起動していた場合に、コンテンツ１１５の配信情報を取得しようとしたユーザが、誤ってＲ／Ｗ装置１０２ｔに携帯端末を近づけた場合、誤って課金処理が行われてしまう場合がある。
【００５８】
そこで、本実施形態では、表示装置１０１（特に位置判断部３１１）が、以下のような対応Ｒ／Ｗ装置の判定処理を実行する。すなわち、表示装置１０１は、まず、コンテンツごとに、その対応する配信情報に対して課金処理が要求されるか否かを判別する。表示装置１０１は、コンテンツに対応する配信情報に対して課金処理が要求される場合、そのコンテンツに近接する他のコンテンツとの位置関係に基づいて、当該他のコンテンツから離れた位置にあるＲ／Ｗ装置を少なくとも１つ選択する。次に、表示装置１０１は、選択されたＲ／Ｗ装置の位置情報に基づいて、料金が発生する旨を示す表示画像（図８における「￥」マーク）と、その表示画像を合成する位置情報を含んだ合成情報を生成する。そして、表示装置１０１は、生成された合成情報に基づいて、図４に記載の表示処理に基づいて表示コンテンツに表示画像を合成し、対応するＲ／Ｗ装置を起動後に、画像合成後の画像を表示する。
【００５９】
以上により、表示装置１０１において、あるコンテンツに対応する配信情報の取得に課金が発生する場合に、そのコンテンツに対して、近接する別のコンテンツから離れた位置にあるＲ／Ｗ装置のみ起動する。これにより、課金を不要とするＲ／Ｗ装置からの情報配信を要求するユーザが、情報配信に課金が要求される隣接するＲ／Ｗ装置と誤通信してしまう可能性を低減することができる。また、情報配信に課金が要求されるＲ／Ｗ装置の位置を、課金が発生する旨と共に表示することで、誤通信の可能性をさらに低減することができる。また、対応する配信情報に課金が要求されるコンテンツについて、Ｒ／Ｗ装置を一部に絞って起動するため、消費電力をさらに低減することができる。
【００６０】
＜＜実施形態３＞＞
本実施形態では、表示装置１０１は、実施形態１又は実施形態２の処理に加えて、省電力用のモードを設けて、省電力モードにおいて起動するＲ／Ｗ装置の判定処理を行う。また、本実施形態においては、表示装置１０１は、表示される表示コンテンツが切り替わる場合に、起動するＲ／Ｗ装置の判定処理を実行する。以下、詳細に説明する。なお、本実施形態における表示装置１０１の構成、及び表示処理並びに配信処理は、実施形態１又は実施形態２と同様であるため、ここでの説明は省略する。
【００６１】
図９に、本実施形態における表示装置１０１のディスプレイ上での表示例を示す。コンテンツ１１１〜１１６は、図６と同様であり、それぞれ配信情報を有しているものとする。本実施形態における表示装置１０１（位置判断部３１１）は、以下のような対応Ｒ／Ｗ装置の判定処理を実行する。すなわち、表示装置１０１は、まず、省電力モードが設定されているか否かを判定し、省電力モードが設定されていた場合は、コンテンツに対して１つ又は所定数以下のＲ／Ｗ装置のみ起動するように決定する。なお所定数は、十分に少ない数であり、例えば１である。続いて、表示装置１０１は、１つのコンテンツの位置情報と、近接する他のコンテンツとの位置情報に基づいて、他のコンテンツから離れた位置にある所定数以下のＲ／Ｗ装置を選択する。なお、「他のコンテンツから離れた位置にある所定数以下のＲ／Ｗ装置」については、他のコンテンツの境界との最小距離が所定値以上となるＲ／Ｗ装置の中から選択してもよいし、当該最小距離が最も離れた所定数以下のＲ／Ｗ装置を選択してもよい。これにより、隣接する別のコンテンツに対応する配信情報を誤って受信する確率を減らしながら、省電力化を図ることができる。
【００６２】
また、表示装置１０１は、表示コンテンツの中心から最も近い、又は中心から所定距離内に対応する表示領域又は通信範囲を有する所定数以下のＲ／Ｗ装置を、起動するＲ／Ｗ装置として選択してもよい。これにより、コンテンツの中心に携帯端末２０１を近接させさえすれば適切な配信情報を得ることができるため、ユーザビリティが向上する。また、それぞれのコンテンツの中心付近のＲ／Ｗ装置のみを起動するため、特にコンテンツが十分な表示面積を有している場合には、それぞれのＲ／Ｗ装置間の距離を十分に離すことができる。このため、この場合にも、隣接する別のコンテンツに対応する配信情報を携帯端末２０１が誤って受信することを防ぎながら、省電力化を図ることが可能となる。なお、表示装置１０１は、コンテンツの表示面積が所定値以上である場合にはコンテンツの中心に最も近いＲ／Ｗ装置を、そして、所定値未満の場合には近接するコンテンツから離れた位置のＲ／Ｗ装置を、起動するＲ／Ｗ装置として選定してもよい。
【００６３】
次に、表示装置１０１は、選択されたＲ／Ｗ装置の位置情報に基づいて、そのＲ／Ｗ装置の位置を示す合成画像と、その合成画像を合成すべき位置情報を含んだ合成情報を生成する。合成画像は、例えば、Ｒ／Ｗ装置の位置を枠で表示する位置枠の画像や、矢印などである。図９の例では、６つのＲ／Ｗ装置（１０２ａ、１０２ｄ、１０２ｆ、１０２ｓ、１０２ｕ、１０２ｗ）についての、Ｒ／Ｗ装置の位置を示す（実線の）枠が合成画像である。表示装置１０１は、図４を参照して説明した表示処理に基づいて、生成された合成情報を用いて合成画像を表示コンテンツに合成し、コンテンツに対応するＲ／Ｗ装置を起動した後に、合成画像を合成した表示コンテンツを表示する。
【００６４】
図１０に、本実施形態における表示装置１０１のディスプレイ上で表示コンテンツが切り替わる場合の表示例を示している。図１０（ａ）から図１０（ｂ）に表示コンテンツが切り替わるものとする。コンテンツ１１１〜１１６は、図６と同様であり、それぞれ配信情報を有しているものとする。また、同様に、１００１〜１００５もコンテンツを示しており、それぞれ配信情報を有しているものとする。この場合に、本実施形態における表示装置１０１（位置判断部３１１）は、以下のような対応Ｒ／Ｗ装置の判定処理を実行する。
【００６５】
まず、表示装置１０１は、表示コンテンツが切り替わったときに、切替後のコンテンツの表示領域内で、切替前に起動していたＲ／Ｗ装置とは異なるＲ／Ｗ装置があるか否かを判定する。表示装置１０１は、そのようなＲ／Ｗ装置があると判定した場合は、そのＲ／Ｗ装置のうち、近接のコンテンツから離れた位置にあるＲ／Ｗ装置を選択し、そのＲ／Ｗ装置を、切替後のコンテンツの配信情報を配信するＲ／Ｗ装置として決定する。一方、そのようなＲ／Ｗ装置がない場合は、表示装置１０１は、コンテンツの切替前に起動していたＲ／Ｗ装置を使用することを決定する。
【００６６】
例えば、コンテンツ１００１に対しては、まず、起動するＲ／Ｗ装置として、コンテンツ表示領域内のＲ／Ｗ装置として６つのＲ／Ｗ装置（１０２ａ、１０２ｂ、１０２ｃ、１０２ｇ、１０２ｈ、１０２ｉ）が候補として挙げられる。続いて、コンテンツ切替前のコンテンツ１１１で利用していたＲ／Ｗ装置１０２ａは候補から外され、隣接する他のコンテンツ（１００２、１００４、１００５）から離れた位置にあるＲ／Ｗ装置１０２ｂが、起動するＲ／Ｗ装置として選定される。
【００６７】
なお、表示装置１０１は、コンテンツの切替後、一定期間内は、切替前に起動していたＲ／Ｗ装置を停止させずに、起動状態で維持しておいてもよい。これにより、ユーザが携帯端末２０１で配信情報を取得しようとしているときに表示コンテンツが切り替わってしまった場合でも、コンテンツ切替前のコンテンツ情報を取得することができる。
【００６８】
なお、切替後のコンテンツの表示領域内に切替前に起動していなかったＲ／Ｗ装置がない場合は、コンテンツ切替前後で同一のＲ／Ｗ装置を共用することとなる。この場合は、実施形態１で述べた複数のコンテンツで同一のＲ／Ｗ装置を共用する場合の動作と同様にして対処する。すなわち、切替前後のコンテンツにそれぞれ対応する配信情報の両方を携帯端末２０１に配信してもよいし、コンテンツのリストのみを配信してユーザによる選択を携帯端末２０１で受け付け、選択されたコンテンツに対応する配信情報のみを配信してもよい。
【００６９】
また、表示装置１０１は、コンテンツ切替後に、一定期間内は、切替後のコンテンツに対応する情報配信のためのＲ／Ｗ装置の起動を遅延させてもよい。これにより、ユーザが携帯端末２０１で切替前のコンテンツに対応する配信情報を取得しようとしているときに表示コンテンツが切り替わってしまった場合でも、切替後のコンテンツを誤って取得してしまう可能性を低減することができる。
【００７０】
また、コンテンツの切替後に利用可能なＲ／Ｗ装置の位置を示す表示画像を、図１０（ｂ）に示すように、切替前のコンテンツに対応するＲ／Ｗ装置と切替後のコンテンツに対応するＲ／Ｗ装置とで異ならせてもよい。図１０（ｂ）では、起動しているＲ／Ｗ装置を示す実線で囲まれた領域のうち、網掛けの表示が切替前のコンテンツに対応する情報配信のためのＲ／Ｗ装置の位置を示し、それ以外が切替後のコンテンツに対応する情報配信のためのＲ／Ｗ装置を示している。このようにすることで、ユーザは、切替前のコンテンツに関連する配信情報を取得したい場合は、切替前の情報配信のためのＲ／Ｗ装置の位置を示す表示に携帯端末２０１を近接させることで、所望の情報を取得することができる。
【００７１】
さらに、表示コンテンツが、動画のように、同一コンテンツが流動的に動いて表示されるコンテンツである場合は、表示装置１０１は、一度起動したＲ／Ｗ装置を一定期間継続して利用可能となるように制御してもよい。その際に、対応するコンテンツ情報に関連した合成画像をＲ／Ｗ装置の位置に合成して表示するようにし、ユーザがどのコンテンツをどのＲ／Ｗ装置で取得できるか容易に判断できるようにしてもよい。
【００７２】
以上のように、本実施形態では、表示装置１０１に省電力モードを設け、１つのコンテンツに対して１つのＲ／Ｗ装置のみを起動するようにした。これにより、起動されるＲ／Ｗ装置の数が減るため、Ｒ／Ｗ装置による電力消費をさらに低減することができる。また、コンテンツ表示が切り替わるような場合に、コンテンツの切替前に起動していたＲ／Ｗ装置と切替後に起動するＲ／Ｗ装置を別とするように選定することで、コンテンツ切り替え時に生じる誤通信の確率を低減することができる。
【００７３】
なお、上述の実施形態１〜３においては、表示装置１０１は、携帯端末２０１を検知すると、配信情報を転送する例について説明したが、これに限られない。例えば、上述の技術は、自動販売機などに適用することができ、Ｒ／Ｗ装置は、物品の購入と課金処理とに用いられてもよい。この場合、表示装置１０１は、表示コンテンツに対応した商品が購入可能か否かを判断し、品切れ等の理由で対応商品の購入ができない場合は、その表示コンテンツに対応した位置のＲ／Ｗ装置の起動を停止するようにしてもよい。
【００７４】
また、上述の実施形態１〜３では、課金情報やＲ／Ｗ装置の位置情報等の付加情報を表示コンテンツに合成して表示する方法について説明したが、付加情報の表示方法は合成表示に限られない。例えば、付加情報用のディスプレイと表示コンテンツ用のディスプレイとを別々に用意し、いずれかに透過性のあるディスプレイを使用し、透過性のディスプレイ側を上面に重ねて設置して、１つの表示装置１０１を構成してもよい。これにより、表示コンテンツの合成処理を実行しなくても同等の効果が得られることになる。
【００７５】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014112328.tif 000003
【図２】
2014112328.tif 000004
【図３】
2014112328.tif 000005
【図４】
2014112328.tif 000006
【図５】
2014112328.tif 000007
【図６】
2014112328.tif 000008
【図７】
2014112328.tif 000009
【図８】
2014112328.tif 000010
【図９】
2014112328.tif 000011
【図１０】
2014112328.tif 000012